(57)【特許請求の範囲】
【請求項１】
装置底部に設けられる防水層と、植物の毛根等の装置外への侵出を防止するために前記防水層上に固着張設されるル−トガ−ドと、ル−トガ−ド上に設けられ、上方から浸透する雨水あるいはその他の手段による潅水等を保持・排水し、保持した水分を植物の根部に供給するとともに積層される土壌を把持するために、縦横に交叉連通する通直管により形成される保水部と排水部とが複数一体に形成されたドレイン板と、土壌およびこれに定着植栽された植物類を収容保持する育苗パンとからなり、前記ドレイン板には複数の中空体が凸設され、前記育苗パンは皿状の本体と、本体の底部に形成され前記ドレイン板の前記保水部に嵌合固定されるとともに土壌を把持しその流動を防止するための複数の凹状突出部と、この凹状突出部の底に形成される透水孔と、通水・通気のために前記本体の底部に形成される複数の貫通小孔と、ドレイン板の前記中空体に嵌合されて中空体の頂部から外側壁にかかる部分を被覆するようにして中空体に固定される係止部とを、具えたことを特徴とする植栽装置。
【請求項２】
請求項１の植栽装置において、育苗パンの土壌には植物苗を横倒し状態に載置したうえ植物苗飛散防止用のネットを育苗パン上面に架設し、ネットは前記本体の立壁上端に設けたフックに係止するようにしたことを特徴とする植栽装置。
【請求項３】
請求項１の植栽装置において、前記ドレイン板の周縁には予め栽培生育させ根部が土壌中に張り出すとともに育苗パン本体の貫通小孔に定着して把持され土壌に定立する植物が植設された育苗パンを設置して、これら周縁の育苗パンの定立された植物部により内側にある育苗パンの植物を風から保護するようにしたことを特徴とする植栽装置。
【請求項４】
請求項１ないし３いずれかの植栽装置において、育苗パンの前記凹状突出部の外側底部と凹状突出部が嵌合されるドレイン板の保水部の底部内側とは所定長さ離開していることを特徴とする植栽装置。
【請求項５】
請求項１ないし４いずれかの植栽装置において、ドレイン板における前記保水部は４００個／平方メートル設け、ドレイン板の保水量を３リットル／平方メートルとして一般植物の最適給水条件に設定したことを特徴とする植栽装置。
【請求項６】
請求項１ないし４いずれかの植栽装置において、各保水部の保水量は１／１０の勾配において約２立方センチメートルとし、ドレイン板における保水量は０．８リットル／平方メートル前後として耐乾燥性を有する植物の生育に必要十分な保水量を確保できるようにしたことを特徴とする植栽装置。
【発明の詳細な説明】
【０００１】
【産業上の利用分野】
この発明は、植木、草花その他の植物を簡便に植栽することのできる装置、特に建造物の屋上や屋根等で植物を栽培するために設けられる植栽装置およびこの種の植栽装置に直ちに植物を植え付けることのできる育苗パンに関するものである。
【０００２】
【従来の技術】
近年、建造物の屋上やその他の空間に大規模に植物を植栽し、都市部における無機的な空間の緑化を図る試みが盛んになされるようになっている。
このような時、多くの場合は、建造物等のスラブ面の防水層上に押えのコンクリート層を形成し、この上に、植栽層として、砂、砂利等からなる砂利層と、客土層を順次積層して植物を植栽するようにしている。
【０００３】
しかしながら、植物にとって十分な保水性、排水性を得るためには、防水層にかなりの土砂を導入する必要があり、しかもコンクリート層はかなりの重量を有するため、これらの重量が建造物に悪影響を及ぼすという問題がある。
そこで、本出願人は、先に保水性、排水性に優れた軽量の植栽装置を開示している（例えば特許２５３１５４２号公報参照）。
【０００４】
この植栽装置は、建造物の屋上等に形成されているスラブ面に防水層を固定すると共に、この防水層の上面に、不織布等を有する保水材と、凹部及び凸部２を有するドレイン板等とからなる保水給排水手段を設け、さらにこの保水給排水手段の上方に砂利層および客土層からなる植栽層を積層したものとなっており、前記保水給排水手段等によって適正な保水性、排水性を得られるものとなっている。
このため、排水を考慮して設けられていたコンクリート層が不要となり、保水性の向上によって植栽層も草木の根毛の長さなどを考慮した必要最小限の厚さ、例えば５０ｍｍ程度に設定することが可能となっている。
【０００５】
【発明が解決しようとする課題】
従って、上記従来の植栽装置においては、装置全体が軽量化され、建造物に対する悪影響を回避し得るという優れた機能を有しているが、未だ改良すべき幾つかの課題を包含している。
すなわち、まず風に対する対策が施されていない点である。この種の装置は、建造物の屋上等、高所に設けられることが多いが、このような高所では常に方向不規則な風が発生しており、このため客土層の土壌が飛散しやすい。
また、客土層は建造物等に対する荷重の点から出来うる限り薄く構築することが望ましいが、これをあまり薄くすると植栽した植物の根が張れず、僅かの風にも倒壊してしまう。このことは、特に植木を植栽した場合には顕著であって、ある程度の高さに成育する植木に場合には、無風時でさえ正立させることが困難である。
【０００６】
さらに、この種の装置では、客土層をいったん構築すると、客土層の土壌を耕すことが困難であり、このため客土層以下の通気が悪くなり、植物の成育に重大な影響をもたらすことになる。
さらにまた、現在では、屋上等の水平な面だけでなく、勾配屋根等のような傾斜した面にも植栽を施したいとするユーザーの要請もあり、このような要請に応じて上記装置を適用した場合には、設置状態は不安定になり、特に客土層の土壌の保持が困難になる。
このような点を解決しようとする技術が、特許第２７１７６３２号公報に開示されている。しかしながら、この技術においては、装置の固定が煩雑で、施工コストが嵩むうえ、施工に時間が掛かるという問題がある。
このため、本願発明者等はさらに新たな植栽装置の研究開発に勤め、先に平成１０年特許願第１４６７０１号として開示した。
しかるに、屋上の緑化需要はさらに促進され、この種の植栽装置に対する要求性能もますます増大している。  すなわち、最近では屋上等に植栽装置を設置して植物の成育を待つだけではあきたらず、植栽装置の設置の時点で、即緑化の実現をもとめられるまでになっているのが現状である。
本願発明は、今日、植栽装置に求められるこのような要求性能の実現を課題とするものである。
【０００７】
【課題を解決するための手段】
本願発明は、建造物の屋上、屋根等に設置される植物の植栽装置を、装置底部に設けられる防水層と、植物の毛根等の装置外への侵出を防止するために前記防水層上に固着張設されるル−トガ−ドと、ル−トガ−ド上に設けられ、上方から浸透する雨水あるいはその他の手段による潅水等を保持・排水し、保持した水分を植物の根部に供給するとともに積層される土壌を把持するために、縦横に交叉連通する通直管により形成される保水部と排水部とが複数一体に形成されたドレイン板と、土壌およびこれに定着植栽された植物類を収容保持する育苗パンとを具え、
前記ドレイン板には複数の中空体が凸設し、前記育苗パンは皿状の本体と、本体の底部に形成され前記ドレイン板の前記保水部に嵌合固定されるとともに土壌を把持しその流動を防止するための複数の凹状突出部と、この凹状突出部の底に形成される透水孔と、通水・通気のために前記本体の底部に形成される複数の貫通小孔と、ドレイン板の前記中空体に嵌合されて中空体の頂部から外側壁にかかる部分を被覆するようにして中空体に固定される係止部とを具えるように構成して、上記従来の課題を解決しようとするものである。
【０００８】
また、上記の植栽装置において、育苗パンの土壌には植物苗を横倒し状態に載置したうえ植物苗飛散防止用のネットを育苗パン上面に架設し、ネットは前記本体の立壁上端に設けたフックに係止するように構成することがある。
【０００９】
さらに、上記の植栽装置において、前記ドレイン板の周縁には予め栽培生育させ根部が土壌中に張り出すとともに育苗パン本体の貫通小孔に定着して把持され土壌に定立する植物が植設された育苗パンを設置して、これら周縁の育苗パンの定立された植物部により内側にある育苗パンの植物を風から保護するようになすことがある。
【００１０】
またさらに、上記いずれかの植栽装置において、育苗パンの前記凹状突出部の外側底部と凹状突出部が嵌合されるドレイン板の保水部の底部内側とは所定長さ離開させ根腐れを防止するようになすことがある。
【００１１】
また、上記いずれかの植栽装置において、ドレイン板における前記保水部は４００個／平方メートル設け、ドレイン板の保水量を３リットル／平方メートルとして一般植物の最適給水条件が維持できるように構成することがある。
【００１２】
そして、上記いずれかの植栽装置において、各保水部の保水量は１／１０の勾配において約２立方センチメートルとし、ドレイン板における保水量は０．８リットル／平方メートル前後として、耐乾燥性を有する植物の生育に必要十分な保水量を確保できるように構成することがある。
【００１３】
【発明の実施形態】
以下、この発明の１実施形態を図面に基づき説明する。
図１は、当該実施形態に係る植栽装置の一部断面図である。図において、Ａは建造物の屋上のコンクリートスラブ面に貼着される防水層であり、この防水層Ａの上面には、植物の毛根等の防水層への進出を防止するための樹脂製のルートガードＢが張設されている。
【００１４】
Ｃは保水給排水手段としての樹脂または金属製のドレイン板で、全面にわたり保水部１と排水部２とが複数一体に形成されている。ドレイン板Ｃの上部には種々の植物等が植立される客土層Ｄを有する育苗パンＰが設置されている。そして、３は固定部であり、固定手段４が一体に形成されている。
【００１５】
図２は、図１に示した植栽装置において、育苗パンＰを除く部分の一部切欠斜視図である。前記防水層Ａは数枚の防水シ−トＡ１，Ａ２を接着剤によりコンクリ−トスラブ面に帖着固定して形成されている。この防水層Ａの上面には、前述のように樹脂製のルートガードＢが接着剤により張設されている。
【００１６】
ル−トガ−ドＢ上には保水給排水手段としての前記ドレイン板Ｃが設けられていて、このドレイン板Ｃには上方から浸透する雨水あるいはその他の手段による潅水等を保持・排水し、保持した水分を植物の根部に供給するとともに積層される前記育苗パンＰにおける植物を良好に成育させるために、前述のように保水部１と排水部２とが複数一体に形成されている。
また、このドレイン板Ｃには保水部１と排水部２に連続して固定部３および固定手段４が形成されていて固定部１は両面接着テ−プ等によりル−トガ−ドＢに固着され、固定手段の頂部はビス等で前記育苗パンＰに接合固着されている。
【００１７】
図３は、ドレイン板Ｃを構成する保水部１と排水部２を示す一部切欠斜視図である。図示のように排水部２は、縦横に交叉連通して形成され上面に孔部ｈを有する断面が台形状をなし下面開口の通直管２ａにより、また前記保水部１は各通直管により囲繞されて形成される凹部空間１ａによりそれぞれ一体に構成されている。
【００１８】
図４は前記ドレイン板Ｃに散在して一体に形成される固定部３と固定手段４を示す一部切欠斜視図である。固定部３は前記保水部２の複数個以上の面積を有して前記通直管２ａに囲繞された凹部により構成されており、この凹部には格子状に交叉する中空突条３ａを一体に設け、凹部すなわち固定部３の剛性を高めている。この固定部３の裏面とル−トガ−ドＢとの間は前述のように両面接着テ−プにより固着される。そして、この固定部３の裏面における前記中空突条３ａの開口幅は前記通直管２ａの開口幅の半分に設定されているため、この固定部３以外の部分すなわち保水部１部分でル−トガ−ドＢに接着するのに比較してはるかに大きい接着密度を得ることができる。
さらに、図４において、４は、前記固定部３上に一体に形成された固定手段としての中空体で、その外郭は円錐台形状をなし、頂部には孔部４ａが形成されている。
【００１９】
図５は、該実施形態に係る植栽装置の要部断面図である。
植栽装置は、その固定部３を両面接着テ−プ３ｂによりル−トガ−ドＢに固着され、ル−トガ−ドＢ、防水層Ａも接着手段によりコンクリ−トスラブ面に順次固着されている。
保水部１と排水部２を具えたドレイン板Ｃ上には、底面に突出部Ｐａが形成された皿状の育苗パンＰが前記突出部Ｐａを保水部１に係合するようにして設置されている。育苗パンＰには、ドレイン板Ｃにおける固定手段としての中空体４に固定される係止部Ｐｂを有していて、この係止部Ｐｂは中空体４の頂部から外側壁にかけての部分を被覆する形状になっており、中空体４の頂部において係合具４ｂおよびビスにより固定されている。
前記育苗パンＰに土壌を収納して形成される客土層Ｄは、岩石焼成物による礫状骨材をベ−スに植物の永続的な成育に不可欠な有機質その他で生成される保水性、排水性、緩衝に優れた軽量人工土壌で形成されていて、この土壌は育苗パンＰの底面に形成された前記突出部Ｐａ内に入り込み、これにより客土層Ｄは、育苗パンＰひいてはドレイン板（保水給排水手段）Ｃにしっかりと把持されることとなり、勾配屋根等の傾斜部にも植栽装置を安定して設置できる。
【００２０】
ところで、この実施形態に係る植栽装置には通気機構が設けられているが、この通気機構は、頂部に透孔４ａを有する前記中空体４と、この中空体４に連通する前記中空突条３ａと、この中空突条３ａに連通する排水部２としての前記通直管２ａと、育苗パンＰの底面に形成された多数の貫通小孔とで構成されている。  すなわち、大気は前記中空体４の孔部４ａを通り中空体４内に入り、さらに前記中空突条３ａ、前記通直管２ａ、育苗パンＰの底面に形成された多数の貫通小孔を通過して客土層Ｄに至り、植物の成育に必要な酸素分その他の大気成分を供給することになる。
【００２１】
図６は、上述の植栽装置における育苗パンＰの実施形態を示す斜視図である。  育苗パンＰは、方形の皿状に形成されていてその底面には突出部Ｐａが複数形成されていて、底部に通気・通水のための小孔を有する突出部Ｐａは、前述のようにドレイン板Ｃの保水部１に係合するようになっている。  また、この突出部Ｐａ内には育苗パンＰに土壌を収納した際に土壌が入り込み、土壌の流動を防止できることは前述した。さらに、育苗パンＰの底面には土壌の通気、通水のために多数の貫通小孔Ｐｃが形成されている。なお、図においてＰｂは、係止部であり、この係止部Ｐｂは前述のように中空体４の頂部から外側壁にかけての部分を被覆する形状になっており、中空体４の頂部において係合具４ｂおよびビスにより固定されるようになっている。なお、図において、Ｐｄは立壁の上端に形成されたフックである。  すなわち、パンＰ内に土壌を収納し、この土壌において植物種子を蒔いて所定の大きさの苗に成育させるか、あるいは土壌に他所で成育した苗を横倒し状態に移植した後、図１または図５に示すようにドレイン板Ｃ内にパンＰを設置して、植栽装置を構成する。しかしながら、植物苗は、その根が土壌中で成長するまでは、耐風性を有しない。そこで、図９に示すように、植物苗の根が土壌中で定着するまで、風対策としてパンＰの上面にネットＮを張設して植物Ｓの根Ｓ１が土壌Ｄに定着するまで保護する必要がある。  このネットＮは、前記フックＰｄを利用してパンＰ上面に架設される。  なお、図９において、Ｓ１は植物Ｓの躯体である。根Ｓ１は、時間の経過につれ土壌Ｄ中に埋没定着し、躯体Ｓ２部分は、ネットＮの網目を通過して上方へ伸長する。
【００２２】
図７は、所定の形状、大きさで構成した単位としての育苗パンＰを複数連接した実施形態を示す平面図であり、図８は図７におけるＡ−Ａ線断面図である。各単位を必要に応じてカットして使用できる。なお、図８において、後述の連結部Ｇによる凹部には必要に応じて給水管を設置することができる。
すなわち、この実施形態では、方形状の育苗パンＰ１、Ｐ２、Ｐ３等が連接されている。連接した状態で使用することもできるが、施工条件に応じてＰ１、Ｐ２部分を連結部Ｇでカットして使うことも可能である。なお、Ｐｂは前述の係止部であり、例えば対向する２枚の育苗パンＰ２の係止部Ｐｂを組み合わせることにより前記中空体４の外郭部分に係合させるようになっている。なお、突出部Ｐａの底面には透水孔が形成されている。また、パンＰの底部から立壁にかけての所要箇所には水抜きとしての貫通溝Ｋ、Ｋ、Ｋが形成されている。
【００２３】
次に、上記構成に基づいて、この実施形態に係る植栽装置の作用を説明する。  客土層Ｄに対する降水、あるいは撤水により、水の一部は、客土層Ｄに含浸保持され、他は、客土層Ｄおよび苗パンＰを通過してドレイン板Ｃの保水部１に至り貯留される（図１、５参照）。
【００２４】
ドレイン板Ｃに至る水の量が多く、保水部１において収容しきれない場合、水は、各ドレイン板Ｃの端部相互の重ねあわせ（ジョイント部分）部分に形成されることとなる隙間部、あるいは通直管２ａの孔部ｈを通り、排水部２から適宜排水されるようになっている。
【００２５】
そして、客土層Ｄにおける水の保持量が減少して乾燥するような場合には、保水部１に貯留された水により植物への水分補給がなされることになる。
なお、前述のように通直管２ａによる排水部２は相互に連通しているため、常時は、通気路となり、植物の根に新鮮な空気が供給されることになり各種の病害虫を防止することができる。
【００２６】
ところで、客土層Ｄの厚さを薄くすると、植物類の根の張りが制限され、植物の定立が危うくなったり、あるいは少々の風によって倒れてしまう虞があるが、本願発明では、通直管２ａの上面に多数設けた孔部ｈにより、このような不都合を防止することができる。すなわち、客土層Ｄから進出した植物の根先は前記孔部２ａ周辺にしっかりと定着して把持されるので、たとえ客土層Ｄの層厚を薄くしても植物が容易に倒壊することはない。
【００２７】
客土層Ｄの上面には、必要に応じて上述した図９に示すようにネットを張設して、土壌の風雨による飛散・流出を防止する。そして、この育苗層Ｆは固定手段４により装置に固定されているため、育苗層Ｆ自体も風に巻き上げられることがない。  なお、風の影響は装置の周縁部分でより大きくなるから、これに対応して固定手段は装置周縁部分に多く設置することが望ましい。
【００２８】
この実施形態に係るドレイン板Ｃ（保水給排水手段）では、保水部１が約４００／ｍ２ 程度形成されている。そして、平坦に設置された状態での保水部１の保水量は約１個／７．５６ｃｍ３
と算定されるから、ドレイン板Ｃにおける保水量は約３，０２４ｃｍ３ ／ｍ２ 、すなわち約３．０２リッタ−となる。
一般に、植物には常時、約３リッタ−／ｍ２ の水の供給ができる条件を設定することが望ましいとされている。  したがって、本実施形態では最適の水供給条件を実現することができる。しかも、植物への供給スタンバイ状態にある水量は単位面積あたり平均化された数値で保持される。
また、ドレイン板Ｃを例えば勾配１０／１０の傾斜部に設置した場合、保水部１も当然傾斜するが、この傾斜状態の保水部１に保持される水量は約２ｃｍ３ と算定されるから、各単位ドレイン板Ｃにおける保水量は８００ｃｍ３
／ｍ２ 、すなわち約０．８リッタ−／ｍ２ となり、耐乾性を有する植物の成育には十分の貯留量である。
このため、図１に示す実施例で、客土層のは約４０ｍｍの薄さに設定したが、植物の成育状況はすべて正常で、通常の土壌に植栽した場合となんら変わらない結果を得ることができた。
【００２９】
次に、当該実施形態に係る植栽装置の構築の手順を図５をもとに説明する。
まず、コンクリ−ト面上に防水層Ａを固着し、この防水層Ａの表面にル−トガ−ドＢを接着する。次いで、ドレイン板Ｃをセットし、その固定部３をアスファルトまたは両面接着テ−プ３ｂによりル−トガ−ドＢに固着する。
次いで、収納した土壌にある程度の大きさまで成育させた植物が植立した状態の育苗パンＰをドレイン板Ｃ上に設置して固定する。
なお、育苗パンＰは、空のままドレイン板Ｃ上に設置した後、土壌を投入して植物を成育させてもよいが、育苗パンＰにおいて、予め植物を栽培成育させておき、その状態で植栽装置に組み込めば、工事の完成と同時に緑化が完成する。
また、植物の成育に適した環境下で育苗パンＰにおいて植物を栽培してから、植栽装置に組み込むことにより、植物の安定した成育を期待できる。
なお、前述の実施形態では、ドレイン板Ｃの全面に育苗パンＰを設置した場合を説明したが、植栽装置の端縁部分その他、風の影響を受けやすい部分に植物が植立定着した育苗パンＰを設置してもよい。育苗パンＰにおける植物はすでに根付きが完了していて耐風性を具えているからである。育苗パンＰを設置しない部分には従来のように土壌を投入して植物を成育させる。この部分は、育苗パンＰに定着した植物による防風効果も期待できる。
【００３０】
【発明の効果】
本願発明は、以上説明した構成・作用により施工の完了と同時に緑化を実現でき、従来のように別途の植え付け作業が不要で工期も短縮できる。
また、植立された植物は、十分に根付きが完了しているため風雨による土壌の飛散・流出がなく、建造物の屋上、屋根等を始めとして平面部、勾配部等種々の場所に迅速かつ容易、しかも堅固に設置することができ、都市空間の緑化実現に資するところが大きい。
【図面の簡単な説明】
【図１】本願発明の一実施形態を示す縦断面図である。
【図２】図１に示した植栽装置において、育苗パンＰを除く部分の一部切欠斜視図である。
【図３】同上実施形態におけるドレイン板Ｃを構成する保水部１と排水部２を示す一部切欠斜視図である。
【図４】同上実施例において、前記ドレイン板Ｃに散在して一体に形成される固定部３と固定手段４を示す一部切欠斜視図である。
【図５】図１に示す該実施形態に係る植栽装置の要部断面図である。
【図６】育苗パンの実施形態を示す一部切欠斜視図である。
【図７】各種の育苗パンを連接した場合の平面図である。
【図８】図７におけるＡ−Ａ線断面図である。
【図９】パンＰの上面に植物苗の押えとしてネットを設置した状況を示す断面図である。
【符号の説明】
Ａ  ．．．．．．防水層
Ｂ．．．．．．．ル−トガ−ド
Ｃ．．．．．．  ドレイン板（保水給排水手段）
Ｄ．．．．．．  客土層
Ｐ．．．．．．．育苗パン
Ｐａ．．．．．．突出部
１．．．．．．．保水部
２．．．．．．．排水部
２ａ．．．．．．通直管
ｈ．．．．．．．通直管上部の孔部
３．．．．．．．固定部
３ａ．．．．．．中空突条
４．．．．．．．固定手段（中空体）
４ａ．．．．．．中空体の頂部の孔部
４ｂ．．．．．．（育苗パンの）係止手段
【図１】
0003581275.tif 000002
【図２】
0003581275.tif 000003
【図３】
0003581275.tif 000004
【図４】
0003581275.tif 000005
【図５】
0003581275.tif 000006
【図６】
0003581275.tif 000007
【図７】
0003581275.tif 000008
【図８】
0003581275.tif 000009
【図９】
0003581275.tif 000010